(57)【要約】【課題】ガラス製の天板に掛かる五徳からの荷重を飛躍的に軽減して天板の割れを防止できるだけでなく、万一天板が割れた場合であっても調理容器を五徳に安定して載置することができ、調理を行うことが可能なガラストップコンロを提供する。【解決手段】バーナ開口２の周囲であってバーナ開口２から離間した位置に、五徳１２を着座させる着座部材１８を設ける。天板１を上下方向に貫通して上端に着座部材１８が連結された貫通部材２３，２５を設ける。コンロ筐体３の底部８に、貫通部材２３，２５を介して着座部材１８をその直下から支持する支持部材２２を立設する。【選択図】図２
2011007387.tif 000002
【特許請求の範囲】
【請求項１】
上方が開放された有底のコンロ筐体と、コンロ筐体内に設置されて外周に複数の炎孔が形成されたバーナヘッドを有するガスバーナと、該バーナヘッドを天板上に露出させるバーナ開口を有してコンロ筐体の上面を覆うガラス製の天板と、バーナ開口の周囲に載置される五徳とを備えるガラストップコンロにおいて、
前記バーナ開口の周囲であって該バーナ開口から離間した位置に設けられ、前記五徳を着座させる着座部材と、
前記天板を上下方向に貫通して上端側に前記着座部材が連結された貫通部材と、
前記コンロ筐体の底部に立設され、前記貫通部材を介して前記着座部材をその直下から支持する支持部材とを備えることを特徴とするガラストップコンロ。
【請求項２】
前記五徳は、複数の五徳爪が環状の五徳枠に連結支持されて該五徳枠が前記着座部材に着座され、
前記着座部材は、前記五徳枠に沿って延びる形状とされ、
前記貫通部材及び前記支持部材は、前記着座部材の長手方向に沿って所定間隔を存して複数設けられていることを特徴とする請求項１記載のガラストップコンロ。
【請求項３】
前記着座部材は、その外縁側から内縁側に連通する連通部を備えることを特徴とする請求項２記載のガラストップコンロ。
【請求項４】
前記着座部材は、前記五徳枠の周方向に沿って所定間隔を存して複数設けられ、
各着座部材の直下位置に前記貫通部材及び前記支持部材が設けられていることを特徴とする請求項１〜３の何れか１項記載のガラストップコンロ。
【発明の詳細な説明】
【技術分野】
【０００１】
本発明は、コンロ筐体の上面を覆う天板をガラス製としたガラストップコンロに関する。
【背景技術】
【０００２】
近年、美観が高く清掃性も良いことから、天板をガラス製としたガラストップコンロが市販されるようになっている。この天板には、耐衝撃性の高い強化ガラスや耐熱性に優れた結晶化ガラスが採用される。
【０００３】
結晶化ガラス製の天板や強化ガラス製の天板は、軽量化のために厚さを薄くした場合に、その強度が低下する。このため、例えば、コンロの上方に配置するレンジフードのメンテナンスや清掃作業時に、人が誤って天板上に足を掛けたり、重量のある部品等が高所から天板上に落下したときには、天板が割れる可能性がある。
【０００４】
そこで、天板の割れ防止対策を施したガラストップコンロとして、従来、五徳の下方位置から天板を支持する支持部材を設け、この支持部材をコンロ筐体の底部に連結したものが知られている（特許文献１参照）。この構成によると、五徳を介して天板に掛かる荷重が支持部材により支えられ、天板の撓みが抑制されるので、天板の耐荷重性が向上する。
【先行技術文献】
【特許文献】
【０００５】
【特許文献１】特開２００４−９３０５６号公報
【発明の概要】
【発明が解決しようとする課題】
【０００６】
しかし、特許文献１のように、天板に掛かる荷重を、バーナ露出用の開口部端縁等で部分的に支える構成では、重量のある部品が直接天板上に落下した場合等の衝撃による天板の割れを防止することはできない。そして、万一天板に割れが生じた場合には、バーナの周囲に五徳を安定した状態で支持することが困難となる。このため、バーナが正常に機能する場合であっても、天板が割れると、調理容器を五徳に安定して載置することができず、調理を行うこともできなくなる。
【０００７】
本発明は、以上の点に鑑み、ガラス製の天板に掛かる五徳からの荷重を飛躍的に軽減して天板の割れを防止できるだけでなく、万一天板が割れた場合であっても調理容器を五徳に安定して載置することができ、調理を行うことが可能なガラストップコンロを提供することを目的とする。
【課題を解決するための手段】
【０００８】
本発明は、上方が開放された有底のコンロ筐体と、コンロ筐体内に設置されて外周に複数の炎孔が形成されたバーナヘッドを有するガスバーナと、該バーナヘッドを天板上に露出させるバーナ開口を有してコンロ筐体の上面を覆うガラス製の天板と、バーナ開口の周囲に載置される五徳とを備えるガラストップコンロにおいて、前記バーナ開口の周囲であって該バーナ開口から離間した位置に設けられ、前記五徳を着座させる着座部材と、前記天板を上下方向に貫通して上端側に前記着座部材が連結された貫通部材と、前記コンロ筐体の底部に立設され、前記貫通部材を介して前記着座部材をその直下から支持する支持部材とを備えることを特徴とする。
【０００９】
上記構成によれば、前記着座部材は前記貫通部材によって前記支持部材に連結される。これにより、前記着座部材に着座された五徳からの荷重は、天板を介さずに支持部材を経てコンロ筐体の底部に掛かる。五徳からの荷重は天板には掛からないので、調理物を収容して重量のある調理容器を五徳に載置しても、天板に撓みが生じることはなく、五徳からの荷重による天板の割れを確実に防止することができる。
【００１０】
更に、五徳は着座部材及び貫通部材を介して支持部材に支えられているので、万一天板が割れても、調理容器を五徳に安定して載置することができる。従って、バーナが正常に機能すれば、天板が割れても支障なく調理を行うことができる。
【００１１】
また、本発明において、前記五徳は、複数の五徳爪が環状の五徳枠に連結支持されて該五徳枠が前記着座部材に着座され、前記着座部材は、前記五徳枠に沿って延びる形状とされ、前記貫通部材及び前記支持部材は、前記着座部材の長手方向に沿って所定間隔を存して複数設けられていることが好ましい。前記着座部材が前記五徳枠に沿って延びる形状であることにより、着座部材に五徳枠を着座させると外方からは着座部材と五徳枠とが一体的に見え、着座部材を設けたことによる天板の外観の低下を防止することができる。
【００１２】
しかも、前記着座部材が前記五徳枠に沿って延びる形状であることにより、五徳からの荷重を比較的広い面積で着座部材が受けるだけでなく、その荷重を複数の支持部材に分散させることができる。
【００１３】
ところで、着座部材が前記五徳枠に沿って延びる形状である場合には、天板の上面に沿ってバーナに向かう燃焼用二次空気が着座部材に当たって直進できず、円滑な燃焼用二次空気の流れが阻害されるおそれがある。そこで、前記着座部材に、その外縁側から内縁側に連通する連通部を設けておくことで、燃焼用二次空気が該連通部を通ってバーナへ向かうようになり、バーナへの燃焼用二次空気の供給が円滑に行われる。
【００１４】
また、本発明においては、前記着座部材を、前記五徳枠の周方向に沿って所定間隔を存して複数設けてもよい。これにより、着座部材とバーナ開口との間の天板上に煮こぼれ等が流下しても、複数の着座部材の間から着座部材の外側に流出し易くなり、着座部材とバーナ開口との間への汚れの付着を軽減することができる。
【図面の簡単な説明】
【００１５】
【図１】本発明の実施形態のガラストップコンロを示す説明的平面図。
【図２】本実施形態の一部を示す説明的断面図。
【図３】着座部材を示す説明的平面図。
【図４】支持部材と着座部材との連結部分を拡大して示す説明的断面図。
【図５】図４において天板が取り除かれた状態を示す説明的断面図。
【図６】着座部材の変形例を示す説明的斜視図。
【図７】本発明の他の実施形態の要部を示す説明的断面図。
【発明を実施するための形態】
【００１６】
本実施形態のガラストップコンロは、図１に平面視して示す形状とされた、例えば、耐熱性に優れた結晶化ガラス等で形成されるガラス製の天板１が装着されたドロップイン式コンロである。
【００１７】
天板１には、バーナ開口２が開設されている。コンロ筐体３にはガスバーナ４が収納されており、ガスバーナ４に備えるバーナヘッド５が前記バーナ開口２から露出している。
【００１８】
図２に示すように、コンロ筐体３は、その外周にフランジ６を備え、システムキッチンのカウンタートップ７に吊設される。
【００１９】
ガスバーナ４は、コンロ筐体３の底板８上に設けた図示しない台座に固定されており、図２に示すように、バーナ開口２と同心に位置するバーナヘッド５の外周に多数の炎孔を備えて、所謂外炎式が採用されている。バーナヘッド５の下方と天板１のバーナ開口２の内周縁との間の間隙は着脱自在の閉塞板９により閉塞されている。
【００２０】
なお、バーナ開口２の内周縁には、その全周に亘って保護部材１０が設けられている。保護部材１０は、バーナ開口２の損傷を防止するだけでなく、調理中に鍋等の調理容器（図示しない）から吹きこぼれた煮汁等がコンロ筐体３内部に流れ込むのを防止する。
【００２１】
図１に示すように、天板１上には、その手前側に、ガスバーナ４を運転操作するための操作摘み１１が配置され、更に、バーナ開口２に対応させて、調理容器を載置する五徳１２が載置されている。
【００２２】
五徳１２は、周方向に間隔を存して配置した複数の五徳爪１３と、これら五徳爪１３を連結する環状の五徳枠１４とで構成されている。本実施形態では、五徳爪１３と五徳枠１４とを夫々鉄系材料（例えば、ステンレス等）で形成した。五徳爪１３は、板状に形成されており、調理容器を支持すべく略水平に延びる延出支持部１５と、延出支持部１５から下方に延びる脚部１６とを備えている。五徳枠１４は、図２に示すように、断面視四角形の棒状体により形成されていてその下縁が当接面１７とされている。そして、五徳爪１３の脚部１６の下端部を五徳枠１４に溶接により接合することにより、五徳爪１３と五徳枠１４とを一体に形成している。
【００２３】
また、図２に示すように、天板１上には、五徳１２を着座させるための着座部材１８が設けられている。着座部材１８は、図３に示すように、バーナ開口２の外側に所定の距離を存してバーナ開口２を包囲するようにして複数配設されている。各着座部材１８は、五徳枠１４の形状に沿って湾曲する形状に延びており、互いに所定間隔を存して設けられている。各着座部材１８により、五徳１２が天板１に直接接触することが防止され、天板１上面の傷つきを防止することができる。
【００２４】
なお、図示しないが、着座部材１８は単一として環状に形成してもよいが、バーナ開口２と着座部材１８との間に五徳１２上の調理容器から吹きこぼれた煮汁が流下した場合には、本実施形態のように複数の着座部材１８を所定間隔を存して配設すれば、隣り合う着座部材１８の間の間隙を介して着座部材１８の外側に煮汁を流出させることができ、着座部材１８の内側に煮汁が溜まるのを防止することができて有利である。
【００２５】
着座部材１８は、金属製（例えばステンレス等）の帯状板により形成され、図２及び図３に示すように、五徳枠１４の当接面１７を当接して着座させる平坦な着座面１９と、着座面１９の側縁から起立する起立壁２０とを備えている。起立壁２０は、図２に示すように、五徳枠１４の内周壁面に対向し、着座面１９に着座させた五徳枠１４の位置ずれを防止している。
【００２６】
起立壁２０には、上端が開放する複数の凹部２１が形成されている。凹部２１は各五徳爪１３に対応して設けられており、五徳１２が着座部材１８に着座したとき、五徳爪１３の脚部１６が凹部２１に係止される。これにより、着座部材１８に着座した状態の五徳１２が回り止めされる。これによれば、バーナヘッド５の各炎孔のうち五徳爪１３の炙りを防止するための小炎孔が設けられている場合に、五徳爪１３を小炎孔の位置に確実に対応させることができる。
【００２７】
また、図２及び図４に示すように、各着座部材１８の直下位置には、夫々一対ずつ支持部材２２が設けられている。各支持部材２２は、その下端がコンロ筐体３の底板８に連結され、その上端にはねじ部材２３により前記着座部材１８が連結されている。ねじ部材２３は、天板１に形成された孔部２４に挿通され、下端が支持部材２２に螺合している。ねじ部材２３には、着座部材１８と支持部材２２との間隔を天板１の厚みよりも大きい寸法に維持するスペーサ２５が装着されている。なお、前記ねじ部材２３と前記スペーサ２５とは、本発明の貫通部材を構成するものである。
【００２８】
天板１と着座部材１８との間には着座部材１８の底面形状に対応する形状のパッキン２６が設けられ、スペーサ２５はこのパッキン２６を貫通して上縁が着座部材１８に当接している。更に、スペーサ２５の下縁は支持部材２２に当接しており、天板１と支持部材との間のスペーサ２５の外周にもクッション性を有するパッキン２７が設けられている。
【００２９】
以上の構成によれば、図１に示すように、着座部材１８が五徳枠１４に沿って設けられるので、五徳枠１４と一体感が得られ、着座部材１８を設けたことによる天板１の外観の低下は生じない。しかも、図２に示すように、着座部材１８は天板１上のバーナ開口２の外方の比較的離れた位置に設けることができるので、五徳枠１４を大径化して安定性を向上させることができる。このとき、バーナ開口２と着座部材１８との間には比較的大きな間隙が形成されるのでバーナヘッド５の周囲が視覚的に簡素化されて外観が向上する。
【００３０】
また、五徳１２を着座させる着座部材１８がねじ部材２３により支持部材２２に連結され、着座部材１８と支持部材との間隔が、ねじ部材２３に装着したスペーサ２５により天板１の厚みより大きな寸法に維持されるので、五徳１２上で調理容器を激しく動かしたときの衝撃や五徳１２及び調理容器の荷重が天板１に掛かることは極めて少ない。
【００３１】
そして、コンロ筐体３上から天板１を取り除いたとしても、図５に示すように、着座部材１８がねじ部材２３及びスペーサ２５を介して支持部材２２に連結された状態が維持される。従って、万一天板１が割れても、五徳１２に重量のある調理容器を安定して載置することができ、調理を行うことができる。
【００３２】
なお、着座部材１８は五徳１２と別体であるので、五徳１２と同一の材料とする必要はなく、例えば、五徳１２よりも軽量な金属（例えば、アルミニウム等）を用いて形成すれば、天板１にかかる荷重を軽減することができて有利である。
【００３３】
また、上述の実施形態においては、図１に示すように、五徳枠１４が平面視円形に形成されているものを示しており、これに対応して湾曲形状の複数の着座部材１８を設けているが、本発明の着座部材の形状は、五徳枠の形状に対応させればよい。即ち、図示しないが、五徳枠が平面視四角形に形成されたものでは、着座部材を平面視四角形状とすることができ、或いは、五徳枠の各辺に沿って直線状の複数の着座部材を所定間隔を存して配設してもよい。なお、五徳枠が平面視四角形に形成されている場合には、前記凹部２１のような五徳の回り止めが不要となる。
【００３４】
また、本実施形態の着座部材１８は、五徳枠１４に沿って延設されているが、例えば、図６に示すように、着座部材１８の外縁側から内縁側に連通する連通部２８を、着座面１９及び起立壁２０の一部を切欠くことにより複数設けておいてもよい。これによれば、バーナヘッド５の各炎孔の燃焼時の二次空気が連通部２８を通って円滑に流動し、十分な量の燃焼用二次空気を供給することができる。更に、連通部２８を設けることにより、吹きこぼれた煮汁が連通部２８を通って着座部材１８の内側から外側へ流出しやすくなる利点もある。
【００３５】
また、他の実施形態として、図７に示すように、五徳３０が板状の五徳枠３１を備える場合には、断面視略四角形状に形成された着座部材３２を採用することができる。
【００３６】
即ち、五徳枠３１の下面が当接面３３とされ、五徳枠３１の外周に下方に折り曲げられた垂下壁３４が形成されているときには、着座部材３２の上面を着座面３５として五徳枠３１を着座させる。これによれば、五徳枠３１の垂下壁３４が着座部材３２の外周縁に接して、着座面３５に着座させた五徳枠３１の位置ずれが確実に防止され、しかも、着座部材３２を簡単な形状とすることができて安価となる。そして更に、着座部材３２は五徳枠３１が覆い隠された状態になるので、着座部材３２は外方から視認されることはなく、美観を向上させることができる。
【００３７】
更に、図示しないが、着座部材３２の底面に溝状の連通部を形成して、該連通部により着座部材３２の外側縁と内側縁とで通気自在としておけば、バーナの燃焼時に十分な燃焼用二次空気を供給することができ、また、吹きこぼれた煮汁が連通部を通って着座部材３２の外側へ流出させることができて有利である。
【符号の説明】
【００３８】
１…天板、２…バーナ開口、３…コンロ筐体、４…ガスバーナ、５…バーナヘッド、８…底板（底部）、１２…五徳、１３…五徳爪、１４，３１…五徳枠、１８，３２…着座部材、２２…支持部材、２３…ねじ部材（貫通部材）、２５…スペーサ（貫通部材）、２８…連通部。
【図１】
2011007387.tif 000003
【図２】
2011007387.tif 000004
【図３】
2011007387.tif 000005
【図４】
2011007387.tif 000006
【図５】
2011007387.tif 000007
【図６】
2011007387.tif 000008
【図７】
2011007387.tif 000009